Podtech/llm-jp-corpus-v4-ja_patent huggingface dataset:
(57)【要約】【課題】高級感に溢れて、その場の雰囲気を大いに高めることができるだけでなく、引張り強度も優れたトラ縞模様をベースにしたデザイン布テープを提供する。【解決手段】トラ縞模様を基調とするテープ状の織物において、該トラ縞模様を構成する各区画１ａに競技シンボルマーク１ｃを表示する。【選択図】　　　　図１
0003096905.tif 000002
【実用新案登録請求の範囲】
【請求項１】
トラ縞模様を基調とするテープ状の織物において、該トラ縞模様を構成する各区画に図柄および／または文字・記号を表示したことを特徴とするトラ縞模様をベースにしたデザイン布テープ。
【請求項２】
上記図柄が、各種競技のシンボルマークや動物デザイン画であることを特徴とする請求項１に記載のトラ縞模様をベースにしたデザイン布テープ。
【請求項３】
上記トラ縞模様や図柄が、ジャカード織りにより表出されることを特徴とする請求項１または２に記載のトラ縞模様をベースにしたデザイン布テープ。
【請求項４】
縦糸に、ポリエチレン製のモノフィラメントを使用したことを特徴とする請求項１、２または３に記載のトラ縞模様をベースにしたデザイン布テープ。
【考案の詳細な説明】
【０００１】
【考案の属する技術分野】
本考案は、トラ縞模様をベースにしたデザイン布テープに関する。
【０００２】
【従来の技術】
一般に、交通整理や立入禁止区域等の縄張りとして、黒と黄色などのツートンカラーの縞模様を施した、所謂、トラロープやトラテープが使用されている。
また、上記従来のトラテープは紙テープやビニールテープにトラ縞模様を印刷したものであった。
【０００３】
【考案が解決しようとする課題】
しかしながら、上記従来のトラロープやトラテープは、黒と黄色のトラ縞模様が目立って、交通整理や立入禁止の本来の目的は達し得るものの、例えば、スポーツやライブの行列整理や立入禁止の縄張りとしては、その場の雰囲気を損なう等の問題点があった。
また、従来の紙テープやビニールテープは、引っ張り強度が必ずしも強くなく、その改善が要請されていた。
【０００４】
本考案は、上記従来の問題点を解決し、要請に応えるためになされたもので、その目的とするところは、高級感に溢れて、その場の雰囲気を大いに高めることができるだけでなく、引張り強度も優れたトラ縞模様をベースにしたデザイン布テープを提供することにある。
【０００５】
【課題を解決するための手段】
本考案のトラ縞模様をベースにしたデザイン布テープは、トラ縞模様を基調とするテープ状の織物において、該トラ縞模様を構成する各区画に図柄および／または文字・記号を表示したことを特徴とする。また、上記図柄が、各種競技のシンボルマークや動物デザイン画であることを特徴とする。さらに、上記トラ縞模様や図柄が、ジャカード織りにより表出されることを特徴とする。又更に、縦糸に、ポリエチレン製のモノフィラメントを使用したことを特徴とするものである。
【０００６】
【考案の実施の形態】
以下、本考案の実施の形態について、図面を参照しながら説明する。
図１において、１はデザイン布テープであって、黄色地と青色地の区画１ａを交互に配置し、しかも、隣接する区画１ａの境界１ｂを斜めにしたトラ縞模様を基調としている。
それぞれの区画１ａには、各種のスポーツ競技をデザイン化した競技シンボルマーク１ｃの図柄が表示されている。本実施例における競技シンボルマーク１ｃは、日本体育協会が所有するマークであるが、本考案におけるシンボルマークは、これらに限定するものではなく、他の公的マークあるいは私的マークのいずれでもよい。
【０００７】
上記デザイン布テープ１は、ポリエチレン糸などの合成樹脂製モノフィラメントから成る縦糸と横糸により、ポリエステル糸などの合成樹脂製マルチフィラメントから成る縦糸を織り込んだ、いわゆるジャカード織り組織により構成されている。上記マルチフィラメントの縦糸は、黄色と青色の色糸であって、これらの２色の色糸により、上記トラ縞模様の区画１ａと競技シンボルマーク１ｃを上記ジャカード織り組織により表出させている。
従って、図２（Ａ）に示すように、デザイン布テープ１の表面（おもてめん）では、黄色地に青色の競技シンボルマーク１ｃ′は、図２（Ｂ）に示す裏面（うらめん）では、青色地に左右が逆となった競技シンボルマーク１ｃ″となって表出される。
【０００８】
上記競技シンボルマーク１ｃをあしらったデザイン布テープ１は、そのマークの性質上、スポーツ競技場における行列整理用テープや立入禁止用テープなどに使用すると効果的であり、その場の雰囲気を大いに盛り上げる効果がある。
【０００９】
図３は、トラ縞模様の区画２ａに動物デザイン画２ｂの図柄を表した別のデザイン布テープ２であって、遊園地や動物園の行列整理用テープや立入禁止用テープなどに使用するのが効果的である。
【００１０】
上記実施例では、地色を黄色と青色にしたが本考案は、これに限定するものではなく、コントラストのはっきりした色同士の組み合わせであれば、いずれの色の組み合わせであってもよい。また、上記実施例では隣接する区画１ａの境界１ｂを直線状斜めにしたが、本考案はこれに限定するものではなく、テープの幅方向に平行にしたり、あるいは、曲線や波形にしてもよい。
【００１１】
さらに、上記区画に表示するものも、上記競技シンボルマーク１ｃや動物デザイン画２ｂの図柄に限定するものではなく、例えば、イベント名や大会名、遊園地名や動物園名を表示したり、あるいは記号等も表示してもよい。
【００１２】
【考案の効果】
１）トラ縞模様を基調とするテープ状の織物において、該トラ縞模様を構成する各区画に図柄および／または文字・記号を表示したので、高級感に溢れて、その場の雰囲気を大いに高めることができるだけでなく、引張り強度も優れたトラ縞模様をベースにしたデザイン布テープを提供することができる。
２）図柄を、各種競技のシンボルマークや動物デザイン画にすることにより、スポーツ競技場や遊園地・動物園などにおける行列整理用テープや立入禁止用テープなどに使用すると効果的であり、その場の雰囲気を大いに盛り上げたり和らげる効果がある。
３）トラ縞模様や図柄等が、ジャカード織りにより表出されるので、布テープの表裏に同じ図柄を対称的に表すことができる。
４）縦糸に、ポリエチレン製のモノフィラメントを使用したので、引っ張り強度が高い。
【図面の簡単な説明】
【図１】本考案のデザイン布テープの一実施例を示す説明図である。
【図２】図１のデザイン布テープの表裏の図柄の関係を説明する図である。
【図３】本考案のデザイン布テープの別の実施例を示す説明図である。
【符号の説明】
１　デザイン布テープ
１ａ　区画
１ｂ　境界
１ｃ、１ｃ′、１ｃ″　競技シンボルマーク
２　デザイン布テープ
２ａ　区画
２ｂ　動物デザイン画
【図１】
0003096905.tif 000003
【図２】
0003096905.tif 000004
【図３】
0003096905.tif 000005
(57)【要約】【課題】本考案は棚に衝立を設けることでファイル・書籍が傾倒しないようにする。【解決手段】本考案は、棚に耐久性素材で個別に衝立を設けることでファイル・書籍の傾倒を防止する。さらにこれによりファイル・書籍の損傷を防止するのに役立つ。【選択図】　図１
0003096901.tif 000002
【実用新案登録請求の範囲】
【請求項１】
棚に複数のファイルや書籍を収納した時に１つ１つうに棚の中に個別に衝立が徴とする棚
【考案の詳細な説明】
【０００１】
【考案の属する技術部分】
本考案は、衝立を組み込んだファイル・書籍の棚の関するものである。
【０００２】
【従来の技術】
この部分に関する技術はとくにない。
【０００３】
【考案が解決しようとする課題】
従来はファイル・書籍を一つ棚から抜き取るとその隣接するファイル・書籍がぬきとったことによって生じた空間に傾倒し、人力で抜き取ったファイル・書籍を元に戻していた。これは労働的負担かつ不整理状態発生の原因となりひいては作業効率を著しく悪化させてしまう。従って、当該空間をそのまま確保することでこの欠点を解決しようとするものである。これによってファイル・書籍の損傷も低減できることにもなる。
【課題を解決するための手段】
本考案は棚の中に個別に衝立を設けることで問題点を解決している。
【０００４】
【考案の実施形態】
棚の底面に適宜素材の衝立を垂直に立てて固定する。
このとき上面についたてを接させないことによってファイル・書籍の出し入れを用意にする。
【０００５】
【実施例】
以下、添付図面に従って一実施例を説明する。
１　素材は耐久性の木製ないしはプラスチック等を利用する。
２　▲１▼の部分を接着する。
３　▲２▼の部分は空間をつくる。
【考案の効果】
上述のように、本考案のファイル・書籍が倒れない棚は従来どおりの使用方法でファイル・書籍の整理がつき、かつファイル・書籍の損傷を防止することができる。
【図面の簡単な説明】
棚を設置して、正面から見たところである
【符号の説明】
Ａ　棚本体
Ｂ　衝立
▲１▼　ＡとＢの接着部分
▲２▼　棚内部上部の空間
【図１】
0003096901.tif 000003
(57)【要約】　　　（修正有）【課題】ブラウス等の袖口や衿元等に縫い付け使用すると、膚触りが柔らかく着心地が良いと共に、膚が触れても触れた箇所が擦れて炎症やかぶれ等の皮膚障害を起こす恐れもなく、かつ意匠性に優れたギャザーテープを提供する。【解決手段】編み糸２で複数本並列に連結されているゴム１の表側を、柔らかく伸縮性を有する弾力糸３でカバーする。弾力糸３で編み糸２の表側が覆われる。【選択図】図３
0003096958.tif 000002
【実用新案登録請求の範囲】
【請求項１】
編み糸で複数本並列に連結されているゴムの表側が、柔らかい弾力糸でカバーされ、この弾力糸で編み糸の表側が覆われていることを特徴とするギャザーテープ。
【請求項２】
編み糸で複数本並列に連結されているゴムの表側が、柔らかい弾力糸でカバーされ、この弾力糸は編み糸より高くなっていることを特徴とするギャザーテープ。
【考案の詳細な説明】
【０００１】
【考案の属する技術分野】
本考案は、女性用、子供用ブラウス等の袖口や衿元等の裏地に、伸長した状態で縫い付けてギャザーを入れるために使用されるギャザーテープに関するものである。
【０００２】
【従来の技術】
従来のギャザーテープは、複数本の並列したゴムを編み糸で編み付け、連結しただけのものである。
【０００３】
【考案が解決しようとする課題】
ギャザーテープは女性用、子供用ブラウス等の袖口や衿元等の裏地に伸長した状態で縫い付け、伸長したゴムが収縮するのを利用して、縫い付けた部分が縮みギャザー状のデザインとする目的で使用されている。
このギャザーテープは、従来編み糸が膚に触れると膚触りが硬く、着心地に問題があると共に、特に敏感な膚の女性や子供は、ギャザーテープに触れた膚の部分が擦れて炎症やかぶれ等の皮膚障害を起こすことが度々生じていた。
【０００４】
上記点より本考案は、ブラウス等の袖口や衿元等に縫い付け使用すると、膚触りが柔らかくて着心地が良いと共に、膚に触れても皮膚障害を起こす恐れもなく、かつ意匠性に優れたギャザーテープを提供しようとするものである。
【０００５】
【課題を解決するための手段】
上記課題を解決するため請求項１記載の本考案ギャザーテープは、編み糸で複数本並列に連結されているゴムの表側が、柔らかい弾力糸でカバーされ、この弾力糸で編み糸の表側が覆われていることを特徴とするものである。
【０００６】
このような構成とすることにより、本考案ギャザーテープの裏側をブラウス等の裏地に縫い付け着用すると、ギャザーテープの表側が膚に触れても、編み糸の表側が柔らかい弾力糸で覆われているため、編み糸は膚に触れずに弾力糸が膚に触れるので、膚触りが柔らかくなって着心地が良いと共に、ギャザーテープが触れた膚の部分も柔らかい弾力糸のため、擦れることがなく炎症やかぶれ等の皮膚障害を起こすことが防止できる。
【０００７】
次に、請求項２記載の本考案ギャザーテープは、編み糸で複数本並列に連結されているゴムの表側が、柔らかい弾力糸でカバーされ、この弾力糸は編み糸より高くなっていることを特徴とするものである。
【０００８】
このような構成とすることにより、ギャザーテープの表側は編み糸よりも弾力糸の方が高さが高いので、編み糸は膚に触れずに弾力糸が膚に触れるので、請求項１と同様の機能を有する。
【０００９】
【考案の実施の形態】
以下、本考案の一実施の形態を図面に基づき説明する。
図１は請求項１の本考案ギャザーテープの組織を示す部分拡大表面図、図２は同上の表面見取り図、図３は同上の拡大断面図である。
図１乃至図３において、図中１はゴムであり、３本並列され、このゴム１はナイロン等の編み糸２でゴム１が伸長した状態で編み付けられ、並列した各ゴム１は編み糸２で連結されている。
ゴム１は図面では３本であるが、この本数に限定されるものではない。
【００１０】
３はゴム１が編み糸２で編み付けられる時に、ゴム１の表側に編み糸２でゴム１の長手方向に波形に編み付けられた柔らかい弾力糸である。
この弾力糸３はナイロンに捲縮加工を施し、ふんわりした触感の伸縮性に富んだ弾力性を有するかさ高糸となっている。
そして、編み付けられた後、ゴム１が縮むと弾力糸３は波形の間隔がほとんどなくなり、弾力糸３が編み糸２を覆ってしまうのである（図３）。
【００１１】
次に、図４は請求項２のギャザーテープの一実施の形態を示す断面図である。図４において、図１乃至図３と相当する箇所には、それと同一符号を付してある。
弾力糸３の編み糸２によるゴム１への編み付け方法は、請求項１と同様であるが、この柔らかい弾力糸３は編み糸２よりも太いものを使用し、編み糸２より高くなっている。この場合、編み糸２の上面はかさ高糸使用時のように覆われていない。
【００１２】
勿論、編み糸２と同程度の太さであっても、柔らかい弾力糸３は編み付けられ、押さえられた箇所は狭小となるので、他の箇所はこれよりも高くなる。
【００１３】
【考案の効果】
以上説明したように、本考案ギャザーテープによれば、ギャザーテープの裏側をブラウス等の裏地に縫い付け着用すると、ギャザーテープの表側が膚に触れても編み糸の表側が柔らかい弾力糸で覆われるか、又は編み糸よりも柔らかい弾力糸の高さが高くなっているので、編み糸は膚に触れずに弾力糸が膚に触れ、したがって膚触りが柔らかく着心地の良いものである。
【００１４】
又、ギャザーテープが触れた膚の部分も柔らかい弾力糸のため、特に敏感な膚の女性や子供でも擦れて炎症やかぶれ等の皮膚障害を起こす危険性がない。
又、表側に弾力糸を有するギャザーテープは、触感のみならず、外観も柔らかで暖かみがあり、かつ意匠性も優れた良好なものとなる。
【図面の簡単な説明】
【図１】請求項１の本考案ギャザーテープの組織を示す部分拡大表面図である。
【図２】請求項１の本考案ギャザーテープの表面の見取り図である。
【図３】請求項１の本考案ギャザーテープの断面図である。
【図４】請求項２の本考案ギャザーテープの断面図である。
【符号の説明】
１　ゴム
２　編み糸
３　弾力糸
【図１】
0003096958.tif 000003
【図２】
0003096958.tif 000004
【図３】
0003096958.tif 000005
【図４】
0003096958.tif 000006
(57)【要約】　　　（修正有）【課題】サッシ枠を傷付けるおそれの無い簾掛け金具を提供すること。【解決手段】外側の側板１７と板パッド２１でサッシ枠４０を挟み、止めネジ２０で板パッド２１をサッシ枠４０に押し付けて金具１０をサッシ枠４０に固定し、簾３０の上枠３１を簾掛け用フック１３に掛け止めして簾３０を吊り下げる。【選択図】　図１
0003096944.tif 000002
【実用新案登録請求の範囲】
【請求項１】
内外２枚の側板の下端部を底板で連結して上に開いた溝形状を有するベース部分と、内側の側板に形成したネジ穴に取り付けた止めネジと、内側の側板の上端中央部から延伸したアームと、このアームの先端部に垂設した簾掛け用フックとを備え、サッシ枠にベース部分をはめ込み、止めネジでベース部分をサッシ枠に固定し、簾掛け用フックに簾を吊り下げるように構成した簾掛け金具であって、前記ベース部分の溝内に軟質プラスチック製の板パッドを遊びを持たせて挿入し、止めネジでこの板パッドを外側の側板に押し付けて板パッドと外側の側板でサッシ枠を挟持するようにしたことを特徴とする簾掛け用金具。
【考案の詳細な説明】
【０００１】
【考案の属する技術分野】
本発明は、簾掛け金具に関する。
【０００２】
【従来の技術】
簾掛け金具の一形式として、意匠登録第９５１３３８号公報には、内外２枚の側板の下端部を底板で連結して上に開いた溝形状を有するベース部分と、内側の側板に形成したネジ穴に取り付けた止めネジと、内側の側板の上端中央部から延伸したアームと、このアームの先端部に垂設した簾掛け用フックとを備え、サッシ枠にベース部分をはめ込み、止めネジでベース部分をサッシ枠に固定し、簾掛け用フックに簾を吊り下げるように構成した簾掛け金具が記載されている。
【０００３】
【考案が解決しようとする課題】
従来の簾掛け金具は、止めネジをサッシ枠に押し当て、止めネジ先端部と外側の側板でサッシ枠を挟持することで金具をサッシ枠に固定するため、サッシ枠が止めネジで傷付くおそれがある。
本考案はかかる問題点に鑑み、サッシ枠を傷付けるおそれの無い簾掛け金具を提供することを目的とする。
【０００４】
【課題を解決するための手段】
上記目的を達成するため本考案は、内外２枚の側板の下端部を底板で連結して上に開いた溝形状を有するベース部分と、内側の側板に形成したネジ穴に取り付けた止めネジと、内側の側板の上端中央部から延伸したアームと、このアームの先端部に垂設した簾掛け用フックとを備え、サッシ枠にベース部分をはめ込み、止めネジでベース部分をサッシ枠に固定し、簾掛け用フックに簾を吊り下げるように構成した簾掛け金具であって、前記ベース部分の溝内に軟質プラスチック製の板パッドを遊びを持たせて挿入し、止めネジでこの板パッドを外側の側板に押し付けて板パッドと外側の側板でサッシ枠を挟持するようにしたことを特徴とする。
【０００５】
【考案の作用・効果】
本考案によれば、止めネジの先端を直接サッシ枠に押し当てるのではなくて、止めネジで軟質プラスチック製の板パッドを外側の側板に押し付けて金具をサッシに固定するので、サッシが止めネジの先端で傷付くのを防止できる。
【０００６】
【考案の実施の形態】
以下に本考案を図面に基づき説明するに、図１〜図３には本考案の一実施形態に係る簾掛け金具１０が示されている。当該簾掛け金具１０はプレス成形品であって、ベース部分１１、アーム１２、簾掛け用フック１３及び紐掛け用フック１４から成り、付属品として紐１５を備え、紐１５の両端は環１５ａに形成されている。
【０００７】
ベース部分１１は内側と外側の２枚の側板１６，１７の下端部を底板１８で連結して上に開いた溝形状に成形されている。両側板１６，１７にはドリルを外側の側板１７から内側の側板１６まで貫通させることにより、左右２個のネジ穴１９が形成されている。そして、内側の側板１６のネジ穴１９に摘み付きの止めネジ２０が嵌め込まれている。ベース部分には軟質プラスチック製の板パッド２１が遊びを以て挿入されており、止めネジ２０の先端を外側の側板１７に押し付けることでベース部分１１に装着されている。
【０００８】
アーム１２は内側の側板１６の上端中央部から直角に曲がって延伸し、その先端部に簾掛け用フック１３が垂設されている。アーム１２の中央部にはリブ１２ａが形成され、アーム１２の長手方向に延びている。簾掛け用フック１３はＵ字形に曲がり、フック１３の中央部にもリブ１３ａが形成されている。
【０００９】
紐掛け用フック１４は内側の側板１６の中央部下端に垂設されている。この紐掛け用フック１４は、図２及び図３に示すように外側の側板１７と底板１８の一部分を連続的に切り離して、切欠部１１ａを形成し、切り離し部分をＵ字形に折り曲げて形成されている。簾掛け用フック１３は簾３０の枠３１を掛けることができる大きさにその寸法が定められているのに対し、紐掛け用フック１４は紐１５の環１５ａが掛けられる程度の大きさで簾掛け用フック１３より小さい。
【００１０】
本実施形態に係る簾掛け用フック１１０の構造は以上の通りであって、図１に示すように外側の側板１７と板パッド２１でサッシ枠４０を挟み、止めネジ２０で板パッド２１をサッシ枠４０に押し付けて金具１０をサッシ枠４０に固定し、簾３０の上枠３１を簾掛け用フック１３に掛け止めして簾３０を吊り下げる。その際、付属品の紐１５は金具１０と別に保管すると無くし易いので、簾掛け用フック１３に引っ掛けておくと良い。簾３０を仕舞うには、図４に示すように簾３０を巻き上げ、紐１５の他端１５ａを紐掛け用フック１３に掛けて、両フック１３，１４間に掛け渡す。こうすることにより簾３０は巻き上げた状態で簾掛け金具１０に吊り下げて保持される。
【００１１】
本実施形態に係る簾掛け金具１０は、軟質プラスチック製の板パッド２１と外側の側板１７でサッシ枠４０を挟み、止めネジ２０で板パッド２１をサッシ枠４０に押し付けて金具１０を固定するので、サッシ枠４０を傷付けない。
また、巻き上げた簾３０を付属品として備えた紐１５で吊り下げ保持できるので、簾３０を使わないとき一々簾３０を外さなくても仕舞うことができ、使い勝手が良い。
紐掛け用フック１４をベース部分１１に設けたので、アーム１２の強度低下を来さず、アーム１２が曲がり難い。
両側板１６，１７のうち外側の側板１７と底板１８の一部分を連続的に切り離し、内側の側板１６から垂設するように折り曲げて紐用フック１４を成形するので、紐掛け用フック１４のプレス成形が可能となり、製造コストを低くできる。
【図面の簡単な説明】
【図１】本考案の一実施形態に係る簾掛け金具と簾及びサッシ枠を示す斜視図である。
【図２】同簾掛け金具を示す縦断断面図である。
【図３】同簾掛け金具を示す背面図である。
【図４】同簾掛け金具と巻き上げた簾及びサッシ枠を示す説明図である。
【符号の説明】
１０…簾掛け金具、１１…ベース部分、１２…アーム、１３…簾掛け用フック、１４…紐掛け用フック、１５…紐、１６，１７…側板、３０…簾、４０…サッシ枠。
【図１】
0003096944.tif 000003
【図２】
0003096944.tif 000004
【図３】
0003096944.tif 000005
【図４】
0003096944.tif 000006
(57)【要約】　　　（修正有）【課題】軽量で工法が簡単で、製作が簡単な立体広告看板を提供する。【解決手段】所定の形状を有した発泡体５の全面にポリウレタン系樹脂を所定の厚みに塗布して耐候性皮膜６を形成し、その表面に塗装を施し、文字や図形を描いて張り出し看板、チャンネル文字、造形物を形成する。【選択図】　　　図２
0003096930.tif 000002
【実用新案登録請求の範囲】
【請求項１】
所定の形状を有した発泡体の全面にポリウレタン系樹脂を所定の厚みに塗布して耐候性皮膜を形成し、その表面に塗装を施し、文字や図形を描いて張り出し看板とすることを特徴とした立体広告看板。
【請求項２】
所定の形状を有した発泡体の全面にポリウレタン系樹脂を所定の厚みに塗布して耐候性皮膜を形成し、その表面に塗装を施してチャンネル文字とすることを特徴とした立体広告看板。
【請求項３】
所定の形状を有した発泡体の全面にポリウレタン系樹脂を所定の厚みに塗布して耐候性皮膜を形成し、その表面に塗装を施し、文字や図形を描いて造形物とすることを特徴とした立体広告看板。
【考案の詳細な説明】
【０００１】
【考案の属する技術分野】
本考案は、張り出し看板やチャンネル文字、及び広告用の造形物の構造に関するものである。
【０００２】
【従来の技術】
従来より、張り出し看板は金属や木材の枠に金属やプラスチックの板を張り合わせた構造のものに塗装をし、図形や文字を描いて製作している。また、チャンネル文字は所定の厚みのアルミ複合板を切り抜いたり、発泡体にアクリル板を貼り付けたり、金属を曲げ加工や溶接加工して立体的に構成した構造のものに塗装をして製作している。さらに造形物に関しては、その多くは表面に凹凸があるため型を使用して金属やプラスチックの素材を成形した構造のものに塗装をして図形や文字を描いて製作している。
【０００３】
【考案が解決しようとする課題】
従来の技術には次のような欠点があった。
（イ）張り出し看板は、金属を多く使用するため重くなり、安全の確保のため施
工作業に手間がかかる。
（ロ）チャンネル文字は、形状が簡単ではないため製作に手間がかかり、重くな
る。
（ハ）造形物は形状が複雑であるため製作に手間がかかり、型の製作等に費用が
かかる。また重量も大きいので施工作業に時間がかかる。
本考案は、以上の欠点を解決するために考案されたものである。
【０００４】
【課題を解決するための手段】
前記目的に沿う請求項１記載の立体広告看板は、所定の形状を有した発泡体の全面にポリウレタン系樹脂を所定の厚みに塗布して耐候性皮膜を形成し、その表面に塗装を施し、文字や図形を描いて張り出し看板とするものであり、軽量な張り出し看板を提供するものである。
【０００５】
また、請求項２記載の立体広告看板は、所定の形状を有した発泡体の全面にポリウレタン系樹脂を所定の厚みに塗布して耐候性皮膜を形成し、その表面に塗装を施してチャンネル文字とするものであり、軽量で加工が容易なチャンネル文字を提供するものである。
【０００６】
また、請求項３記載の立体広告看板は、所定の形状を有した発泡体の全面にポリウレタン系樹脂を所定の厚みに塗布して耐候性皮膜を形成し、その表面に塗装を施して文字や図形を描写して造形物とするものであり、軽量で加工が容易でさらに安価な造形物を提供するものである。
【０００７】
【考案の実施の形態】
以下、本考案の実施の形態について説明する。
ここに、図１は本考案の第一の実施例に係る立体広告看板の斜視図である。図２は第二の実施例に係る立体広告看板の斜視図である。図３は第三の実施例に係る立体広告看板の斜視図である。
【０００８】
図１に示すように、本考案の第一実施例に係る張り出し看板の立体広告看板（１）は、１００ｍｍの厚さを有する６００ｍｍ×１８００ｍｍの発泡スチロール（２）の全面にポリウレタン系樹脂を１ｍｍの厚みに塗布し、耐候性皮膜（３）を形成している。前記耐候性皮膜（３）の表面に所定の塗装を施し、文字や図形を描いて張り出し看板とする。
【０００９】
図２に示すように、本考案の第二実施例に係るチャンネル文字の立体広告看板（４）は、文字型に切り抜いた発泡スチロール（５）の全面にポリウレタン系樹脂を１ｍｍの厚みに塗布し、耐候性皮膜（６）を形成している。前記耐候性皮膜（６）の表面に所定の塗装を施し、チャンネル文字とする。
【００１０】
図３に示すように、本考案の第三実施例に係る造形物の立体広告看板（７）は、任意の形に造形された発泡スチロール（８）の全面にポリウレタン系樹脂を１ｍｍの厚みに塗布し、耐候性皮膜（９）を形成している。前記耐候性皮膜（９）の表面に所定の塗装を施し、文字や図形を描いて造形物とする。
【００１１】
【考案の効果】
本考案による張り出し看板やチャンネル文字及び造形物は、素材が発泡スチロールであるため、所要の形状に簡単に加工できかつ極めて軽量であり、さらに、ポリウレタン系樹脂を全面に塗布するため耐候性のある立体広告看板を提供するものである。また、軽量であることから現場での施工が簡単になり、安価で簡単に立体広告看板を形成することが出来る。
【図面の簡単な説明】
【図１】本考案の第一の実施例に係る立体広告看板の斜視図。
【図２】本考案の第二の実施例に係る立体広告看板の斜視図。
【図３】本考案の第三の実施例に係る立体広告看板の斜視図。
【符号の説明】
１　第一実施例に係る立体広告看板
２　発泡スチロール　　　　　　　　３　耐候性皮膜
４　第二実施例に係る立体広告看板
５　発泡スチロール　　　　　　　　６　耐候性皮膜
７　第二実施例に係る立体広告看板
８　発泡スチロール　　　　　　　　９　耐候性皮膜
【図１】
0003096930.tif 000003
【図２】
0003096930.tif 000004
【図３】
0003096930.tif 000005
(57)【要約】　　　（修正有）【課題】多くの乗用車において設置可能な、前輪部付近を視認するためのフロントサイドアンダーミラーを提供する。【解決手段】本考案によるフロントサイドアンダーミラー１を自動車のドアミラー２に固定設置し、自在ジョイントで鏡面の角度を調節することによって、前輪部付近を視認することが可能となり、路肩に自動車を幅寄せする場合など（特に路肩に障害物や段差がある場合など）に有用と考えられる。さらに本考案によるフロントサイドアンダーミラー１は、ほとんどの乗用車の既存のドアミラーに設置することが可能であり、外観の悪化も比較的少なく、また、その構造は極めて簡単で、軽量で丈夫かつ安価なものであり、実用性に優れたものと考えられる。【選択図】　図１
0003096881.tif 000002
【実用新案登録請求の範囲】
【請求項１】
自動車のドアミラーに固定設置して、前輪部付近を視認するための、フロントサイドアンダーミラー。
【考案の詳細な説明】
【０００１】
【考案の属する技術分野】
本考案は、自動車のドアミラーに固定設置して、前輪部付近を視認するための、フロントサイドアンダーミラーに関する。
【０００２】
【従来の技術】
自動車の前輪部付近を視認するサイドアンダーミラーは、トラックにみられるように、前輪より前に位置するバックミラーなどに設置するものが知られている。また、一部の乗用車（クロカンタイプ）でフェンダー部に設置するものが知られているが、それ以外の乗用車では該当するものは見当たらない。
【０００３】
【考案が解決しようとする課題】
多くの乗用車では、前輪部付近を視認するための設置可能なサイドアンダーミラーは見当たらない。また、一部の乗用車（クロカンタイプ）にみられるフェンダー部に設置するサイドアンダーミラーは、前輪部付近の視認性は必ずしも良好とはいえず、また外観を損なうなどの欠点がある。
【０００４】
【課題を解決するための手段】
本考案によるフロントサイドアンダーミラーは、ドアミラーに固定設置し、自在ジョイントでミラーの角度を調節して、前輪付近の視認性を得るものである。また、ほとんどの乗用車の既存のドアミラーに設置することが可能であり、良好な視認性が得られ、かつ外観の悪化は比較的小さいものと考えられる。
【０００５】
【考案の実施の形態】
図１に示すように、本考案によるフロントサイドアンダーミラーを、自動車のドアミラーに固定設置することによって、前輪部付近を視認することが可能となる。
【０００６】
【実施例】
本考案によるフロントサイドアンダーミラーを、図２（鏡面側からの外観図）および図３（鏡面の裏側からの外観図）に示す。
【０００７】
本考案によるフロントサイドアンダーミラーを、自動車のドアミラーに両面テープやビスなどを用いて固定設置し、前輪部付近が視認できるように自在ジョイントでミラーの角度を調節する（図１）。設置に際しては、粘着テープ等を用いて仮設置して、前輪部付近が視認できることを確認しておく。なお、可倒式のドアミラーに固定設置する場合は、ドアミラーを折りたたんだ状態でドア等に支障がない位置に設置する。以上のように設置することによって、前輪部付近（図４の破線領域）を視認することが可能となる。
【０００８】
【考案の効果】
本考案によるフロントサイドアンダーミラーを、自動車のドアミラーに固定設置することによって、前輪部付近を視認することが可能となり、路肩に自動車を幅寄せする場合など（特に路肩に障害物や段差がある場合など）に、有用と考えられる。さらに本考案によるフロントサイドアンダーミラーは、ほとんどの乗用車の既存のドアミラーに設置することが可能であり、外観の悪化も比較的少なく、また、その構造は極めて簡単で、軽量で丈夫かつ安価なものであり、実用性に優れたものと考えられる。
【図面の簡単な説明】
【図１】本考案によるフロントサイドアンダーミラーを、自動車のドアミラーに固定設置した図である。
【図２】本考案によるフロントサイドアンダーミラーの、鏡面側から見た外観図である。なお、鏡面は凸面とする。
【図３】本考案によるフロントサイドアンダーミラーの、鏡面の裏側から見た外観図である。
【図４】本考案によるフロントサイドアンダーミラーを自動車のドアミラーに設置した場合の、視認領域（破線の領域）を示す図である。
【符号の説明】
１・・・本考案によるフロントサイドアンダーミラー
２・・・自動車のドアミラー
３・・・ドアミラーへの固定設置部
４・・・自在ジョイント
５・・・鏡面保持部
６・・・鏡面（凸面）
７・・・視認領域
【図１】
0003096881.tif 000003
【図２】
0003096881.tif 000004
【図３】
0003096881.tif 000005
【図４】
0003096881.tif 000006
【手続補正書】
【提出日】平成15年4月4日(2003.4.4)
【手続補正１】
【補正対象書類名】明細書
【補正対象項目名】実用新案登録請求の範囲
【補正方法】変更
【補正の内容】
【実用新案登録請求の範囲】
【請求項１】
自動車のドアミラーに固定設置して前輪部付近を視認するための、ドアミラーへの固定設置部および固定設置部に自在ジョイントで連結して角度調節を可能とした鏡面部から成る、フロントサイドアンダーミラー。
(57)【要約】【課題】サッカー競技の「スローイン」は「ｓｌｏｗ　ｉｎ」ではなく「ｔｈｒｏｗ　ｉｎ」だが、現行カタカナ表記には「ｓ」と「ｔｈ」、「ｌ」と「ｒ」の他、「ｚ」と「ｔｈ」、「ｙ」と「ｉ」「ｅ」等の原語の綴り、発音の違いを示す手段がない。【解決手段】濁点、半濁点、小文字等を駆使したカタカナ工夫文字により現行では表せない外国語綴りや発音の違いを示す。例えば「ス°ロ°ーイン」は「ｓ」「ｃ」を表す「ス」や「ｌｏ」を表す「ロ」と異なる「ス°」「ロ°」を用い「ｔｈｒｏｗ　ｉｎ」を示す。「ｓ」「ｃ」は「サ、スィ、ス、セ、ソ」、「ｓｈ」は「シャ、シ、シュ、シェ、ショ」、「ｔｈ」は「サ°、シ°、ス°、セ°、ソ°」、「ｌ」は「ラ、リ、ル、レ、ロ」、「ｒ」は「ラ°、リ°、ル°、レ°、ロ°」、「ｚ」は「ザ、ズィ、ズ、ゼ、ゾ」、「ｔｈ」は「ザ°、ジ°、ズ°、ゼ°、ゾ°」、「ｙ」は「イ°」「エ°」等、違いを示し、外国語綴り及び発音との対応を体系化したカタカナ表記で解決する。【選択図】　図１
0003096883.tif 000002
【実用新案登録請求の範囲】
【請求項１】
カタカナ工夫文字による外国語綴り、発音との対応
【考案の詳細な説明】
【０００１】
【考案の属する技術分野】辞書、携帯電話、コンピュータ等の他、外国語及び日本語教育、広告等に至る様々なカタカナ使用の技術分野に属する。
【０００２】
【従来の技術】「ブ」「ヴ」が原語の「ｂ」「ｖ」の違いを示すようなカタカナ表記。「ヴ」は現在殆どのワードプロセッサで１文字として表示可能。
【０００３】
【考案が解決しようとする課題】サッカー競技の「スローイン」は「ｓｌｏｗ　ｉｎ」ではなく「ｔｈｒｏｗ　ｉｎ」だが、現行のカタカナ表記には「ｓ」と「ｔｈ」、「ｌ」と「ｒ」等のローマ字すなわち原語の綴りや発音の違いを示す手段がない。
【０００４】
【課題を解決するための手段】濁点、半濁点、小文字等を駆使したカタカナ工夫文字により従来表せなかった外国語綴りや発音の違いを示す。例えば「ス°ロ°ーイン」は「ス°」「ロ°」を用いて「ｔｈ」「ｒｏ」を表示する。
【０００５】
【考案の実施の形態】「ｔｈ」「ス°」、「ｒ」「ル°」等の対応を機械翻訳等へ活用するほか、携帯電話等でも簡単に表示できるようにする。また、原語綴りや発音への意識が高まることを利用し、英語教育、日本語教育に活用する。
【０００６】
【実施例】自動カタカナ表記装置、カタカナと原語学習表、等。
【０００７】
【考案の効果】国際化する日本でカタカナ表記の外来語は増大する一方だが、従来表せなかった外国語綴りや発音の違いを本考案のカタカナ表記で示せば、原語の綴りや発音を意識し、語学力向上に優れた効果を発揮する。
【図面の簡単な説明】
【図１】１列目にローマ字とそのカタカナ、２列目から６列目は１列目のローマ字にａ，ｉ，ｕ，ｅ，ｏを順に付した綴り又は発音に対応するカタカナを記した一覧表。
【外１】サ°【外２】シ°【外３】ス°【外４】セ°【外５】ソ°【外６】ザ°【外７】°
【外８】ズ°【外９】ゼ°【外１０】ゾ°【外１１】イ°【外１２】エ°【外１３】ラ°【外１４】リ°【外１５】ル°【外１６】レ°【外１７】ロ°
【符号の説明】（独）ドイツ語　、（西）スペイン語
【図１】
0003096883.tif 000003
【手続補正書】
【提出日】平成15年4月22日(2003.4.22)
【手続補正１】
【補正対象書類名】明細書
【補正対象項目名】実用新案登録請求の範囲
【補正方法】変更
【補正の内容】
【実用新案登録請求の範囲】
【請求項１】
カタカナ工夫文字が表示可能な電子辞書
【請求項２】
カタカナ工夫文字が表示可能な携帯電話
(57)【要約】　　　（修正有）【課題】水洗トイレ用の貯水槽への注水音を小さくする。【解決手段】水洗トイレ用の貯水槽の上蓋１に、筒２（途中で曲げて水が一直線に落下しない様に加工した）を取り外し自由な状態でつなげて貯水槽３の中の隙間に配置し、貯水槽への注水音が静かになる様にした。【選択図】　図３
0003096887.tif 000002
【実用新案登録請求の範囲】
【請求項１】
水洗トイレ用の貯水槽の上蓋に、筒（水が一直線に落下しない様に曲げる加工をした）を取り外し自由な状態でつなげて、貯水槽の中の隙間に配置し、水道蛇口から貯水槽に落ちる水音を小さくすることを目的とした、貯水槽上蓋と筒の連結物
【考案の詳細な説明】
【０００１】
【考案が解決しようとする課題】
従来、家庭・オフィス・共用施設等のトイレで使用後の貯水槽への注水音が長々と続く不快な状態を有していた。
【０００２】
【課題を解決するための手段】
上記の不快な状態を解決するために、水洗トイレ用貯水槽の上蓋に筒をつなげて、貯水槽への注水音を静かにした。
【０００３】
【考案の効果】
水洗トイレ使用後に長く続く不快な注水音が静かになった。
【図面の簡単な説明】
【図１】貯水槽の上蓋とつなげる筒の斜視図である。
【図２】貯水槽内の平面図である。
【図３】貯水槽内の側面図である。
【符号の説明】
１　貯水槽の上蓋　　　２　上蓋の下につなげる筒　　　３　貯水槽
【図１】
0003096887.tif 000003
【図２】
0003096887.tif 000004
【図３】
0003096887.tif 000005
【手続補正書】
【提出日】平成15年5月21日(2003.5.21)
【手続補正１】
【補正対象書類名】明細書
【補正対象項目名】全文
【補正方法】変更
【補正の内容】
【考案の詳細な説明】
【実用新案登録請求の範囲】
【請求項１】水洗トイレ用の貯水槽の上蓋に、水が一直線に落下しない様に曲げる加工をした筒を取り外し自由な状態でつなげて、貯水槽の中の隙間に配置し、水道蛇口から貯水槽に落ちる水音を小さくすることを目的とした水洗トイレ用貯水槽上蓋と筒の連結物。
【考案の詳細な説明】
【０００１】
【考案の属する技術分野】
　本考案は、家庭・オフィス・共用施設等の水洗トイレ用貯水槽に関するものである。
【０００２】
【従来の技術】
　従来は、水洗トイレ用貯水槽上蓋の注水口から直接貯水槽に水を落下させていた。
【０００３】
【考案が解決しようとする課題】
従来、家庭・オフィス・共用施設等のトイレで使用後の貯水槽への注水音が長々と続く不快な状態を有していた。
そこで、本発明は水洗トイレ使用後に長く続く不快な注水音を解消することを目的とする。
【０００４】
【課題を解決するための手段】
上記の不快な状態を解決するために、水洗トイレ用の貯水槽の上蓋に、水が一直線に落下しない様に曲げる加工をした筒を取り外し自由な状態でつなげて、貯水槽の中の隙間に配置し、水道蛇口から貯水槽に落ちる水音を小さくすることを目的とした水洗トイレ用貯水槽の上蓋に筒をつなげて、貯水槽への注水音を静かにしたものである。
【０００５】
【実施例】
以下、本考案の一実施例を図１〜図３に基づいて説明する。
図１は、水洗トイレ用貯水槽の上蓋とつなげる筒の斜視図、図２は水洗トイレ用貯水槽の平断面図、図３は水洗トイレ用貯水槽の側断面図である。そして、１は貯水槽の上蓋、２は上蓋の下につなげる、曲げる加工をした筒、３は貯水槽、４は水道管、５は浮き、６は水位調整管、７は排水操作取手をそれぞれ示す。
【０００６】
本考案は、図１〜図３に示すように、水洗トイレ用の貯水槽の上蓋１に、水が一直線に落下しない様に曲げる加工をした筒２を取り外し自由な状態でつなげて、貯水槽３の中の隙間に配置し、水道蛇口から貯水槽３に落ちる水音を小さくする水洗トイレ用貯水槽上蓋と筒の連結物である。
【０００７】
【考案の効果】
水洗トイレ使用後に長く続く不快な注水音が静かになるという効果がある。
【図面の簡単な説明】
【図１】水洗トイレ用貯水槽の上蓋とつなげる筒の斜視図である。
【図２】水洗トイレ用貯水槽の平断面図である。
【図３】水洗トイレ用貯水槽の側断面図である。
【符号の説明】
１‥‥貯水槽の上蓋　　　　　　　　　　　２・・・・上蓋の下につなげる筒
３・・・・貯水槽　　　　　　　　　　　　　　４・・・・水道管
５・・・・浮き　　　　　　　　　　　　　　　６・・・・水位調整管
７・・・・排水操作取手
【手続補正２】
【補正対象書類名】図面
【補正対象項目名】全図
【補正方法】変更
【補正の内容】
【図１】
0003096887.tif 000006
【図２】
0003096887.tif 000007
【図３】
0003096887.tif 000008
(57)【要約】　　　（修正有）【課題】積雪地に於ける、施工のし易さ、管理・運転の簡易さ、融雪効果の良さ等を有する、融雪舗装道路を提供する。【解決手段】舗装体自体を透水性舗装構造にし、同時に「排水性を妨げない」為に加熱システムの平面投影とを組み合わせた。効率良く排水が行われるから、加熱システムから発生した熱は水の温度上昇に使われる事が無く、熱は有効に融雪に利用される。【選択図】　図１
0003096882.tif 000002
【実用新案登録請求の範囲】
【請求項１】
舗装体が透水性構造を有し、それに近接する線状の加熱ヒーターを備え、融雪と同時に透水性構造により速やかに排水が行える
構造体。
【考案の詳細な説明】
【０００１】
【考案の属する技術分野】
本考案は、降雪地帯での、積雪を、舗装内に埋設した熱線により、加熱・融雪する、融雪道路の構造体の成形に関する物である。
【０００２】
【従来の技術】
従来、降雪地帯では、降り積もった雪を除去する方法として、除雪又は積雪上面に塩化カルシュウム剤、炭粉等の散布を行って融雪を促していた。
近年になり、積雪のある路面上に常時水を流しての融雪や、道路舗装下部に温水パイプや発熱体シート等を埋設しての融雪も行われる様になってきた。
【０００３】
【考案が解決しようとする課題】
しかし、除雪にしても、塩化カルシュウム剤、炭粉融雪剤の運搬、散布にしても、その作業の過酷さに問題が有った。特に降雪直後の散布は、労力的に重労働であり危険でもある。且つ、融雪剤散布では、融雪後にも融雪剤が残り、美観上、環境上の問題があった。
又、流水融雪システムは、大量の水を消費し、又、散布ノズルのメンテナンスに十分に配慮する必要があった。
温水パイプ、発熱体シート等は有効であり、上記のような欠点を伴わない方法ではあるが、埋設施工時に充分に気を付けないと、配管切断やシート破断などの事故を起こし、期待された効果を充分に発揮できない事がある。
そして、全の方法に共通していえる点は、排水への配慮が充分でない点である。如何に有効な方法で融雪が行えたとしても、解けた雪、即ち、水が道路舗装面に存在していては、交通の支障になるばかりではなく、災害をも引き起こしかねないのである。舗装表面に余分な構造物を増設する事無く、水を滞水させずに、如何に、より早く排水出来るかが問題になってくる。
【０００４】
【課題を解決するための手段】
本考案は、「舗装路面上余分な構造物を敷設する事無く、効率良く融雪し、融雪で発生した水をより速やかに排水を行う事」を達成するために、舗装体自体を透水性舗装構造にし、同時に「排水性を妨げない」為に加熱システムの平面投影面積を最小に出来る高強度の加熱ワイヤーシステムとを組み合わせた。
効率良く排水が行われるから、加熱システムから発生した熱は水の温度上昇に使われる事が無く、熱は有効に融雪に利用される。
【０００５】
【考案の実施の形態】
透水性舗装構造を作成する為に、舗装骨材として、粒径が数ミリから１０数ミリの石材を使用する。この骨材と骨材重量の４〜６％Ｗ程度の液体樹脂（エポキシ樹脂等）及び硬化剤とを混練後、敷き均し、此れを舗装面とする事で透水性の舗装面が完成する。
この下部に、透水の妨げをしない平面投影面積の少ない４ｍｍ径の発熱体であるテフロンヒーターを敷設しておく。
【０００６】
【実施例】
道路基盤に付いては、通常の舗装同様な下部基盤として、完成予定舗装幅に砕石を２０−３０ｃｍ厚さに敷き、転圧を行い、その上面を平坦にしておく。
あまり強度を必要としない舗装（下部舗装が不要）では、直にその上面に、テフロンヒーター（径４ｍｍのワイヤー形状）を、舗装幅内を適宜な間隔を持って蛇行させる。一般的には、道路進行方向の蛇行間隔は、１５〜３０センチ程度が良い。
より強度を必要とする舗装では、下部舗装として、道路基盤層上に３０ミリ厚程度のモルタルを打設し、その上部にワイヤーメッシュ（□１５０ミリ程度）を配して、その上面に、テフロンヒーターを配し、更にその上部に３０ミリ厚程度のモルタルを横断方向に屋根勾配をつけて打設する。この場合には透水性ではなく排水性舗装となる。
【０００７】
上記の作業が終わったら、透水性の上部舗装を行う。
上部透水性舗装の骨材は、粒径が数ミリから１０数ミリの石材で厚さ３０ミリ厚程度の舗装を行う。
バインダーは、エポキシ樹脂と硬化剤を用いる（ウレタン等でも可能）。
骨材の必要容量を計算し、その重量を計測する。エポキシ樹脂は骨材の５．５％Ｗを骨材と一緒にミキサーに投入し、よく混練する。更に硬化剤を投入攪拌し、上記で準備された状態の上部に敷き均し、コテ又はローラー等で上面を平滑化する。
この様な構成での構造体では、舗装表面の水は、直ちに上部舗装から下部方向へ通過し、下部基盤へと排水される。
不透水の下部舗装がある場合には上部透水舗装内部を通り、側方へと排水され、その後、下部基盤へと排水される。
【０００８】
【考案の効果】
この様な手法と組み合わせによって構成された融雪道路では、舗装面に積雪が生じた時に、ヒーターの電源を入れ通電すると、ヒーターが過熱し、それに接している周囲の骨材が暖まり、熱伝導と同時に、暖かい空気が透水性舗装の骨材の空隙を上昇し、融雪を始める。雪は融解されたて水となり、骨材の空隙を流下し、下部基盤に吸収され、排水される事になる。
これら一連の効果により、舗装表面の積雪が遂次融雪し、且つ、溶けた雪、即ち水は、舗装表面に滞水する事無く、速やかに排水される。
この「融雪−排水サイクル」は透水面に妨げるものがなく、広さが広ければ広いほど高能率で作用できる。
又、排水状態が悪い場合には、「ヒーターから発せられた熱」が、滞水した水の温度上昇に使われて、融雪効率が低下することになる。
この考案の組合せは、排水効率が良いので、高能率な融雪効果が得られる方法である。
【図面の簡単な説明】
【図１】本考案による高強度舗装の実施の断面例である。
【図２】実施例の一部切欠断面拡大俯瞰図である。
【符号の説明】
１．　　上部透水舗装
１−１．樹脂
１−２．骨材
２．　　下部舗装
２−１．テフロンヒーター
２−２．ワイヤーメッシュ
２−３．モルタル（高強度舗装時のみ、必要である）
３．　　舗装基盤
３−１．砕石
４．　　現地盤
【図１】
0003096882.tif 000003
【図２】
0003096882.tif 000004
【手続補正書】
【提出日】平成15年4月17日(2003.4.17)
【手続補正１】
【補正対象書類名】明細書
【補正対象項目名】実用新案登録請求の範囲
【補正方法】変更
【補正の内容】
【実用新案登録請求の範囲】
【請求項１】
透水性構造を有する舖装体下部に、線状の加熱ヒーターを敷きこみ、過熱する事により、舗装上の積雪を融雪し、且つその融雪水を透水性構造により、速やかに舗装上面から排水が行える融雪道路の構造体。
【手続補正書】
【提出日】平成15年4月21日(2003.4.21)
【手続補正１】
【補正対象書類名】明細書
【補正対象項目名】実用新案登録請求の範囲
【補正方法】変更
【補正の内容】
【実用新案登録請求の範囲】
【請求項１】
透水性構造を有する舗装体下部に、線状の加熱ヒーターを敷きこみ、過熱する事により、舗装上の積雪を融雪し、且つその融雪水を透水性構造により、速やかに舗装上面から排水が行える融雪道路の構造体。
(57)【要約】【課題】パテ研磨作業で既製の研磨機の研磨面は平面だけであり、Ｒ面の研磨は経験に依るところが多く、時間も掛かった【解決の手段】既存の研磨機にアジャスタブルプレートを取り付けることにより調整螺子を調整するだけで平面もＲ面も研磨することが出来、パテ研磨の仕上がりが綺麗で、時間も短縮することが出来る、小回りの部分は手作業用アジャスタブルプレートで使い分けるとより効率的である【選択図】　　図１
0003096894.tif 000002
【実用新案登録請求の範囲】
【請求項１】
パテ研磨時角度調整螺子を装着したアジャスタブルプレートにより平面の研磨に加えＲ面の研磨を容易に出来る
【請求項２】
アジャスタブルプレートは既製の研磨機に取り付けたものと手作業用の二種類からなる
【考案の詳細な説明】
【０００１】
【考案の属する技術分野】
本考案は、車体やサーフィンボードなどのパテ研磨作業を容易にするため角度調整を可能にしたアジャスタブルプレートに糊付サウンドペーパーを貼って平面及びＲ面の研磨を容易にするための考案である
【０００２】
アジャスタブルプレートは既製の研磨機に取り付け固定したものと手作業用の二種類からなる
【０００３】
【従来の技術】
車体やサーフィンボードなどはＲ面が多い、それに対し従来のパテ研磨機類は研磨面が平面であり、作業員の経験でＲ面に合わせての作業でパテの研磨に斑が出、仕上げに時間がかかった
【０００４】
【考案が解決しょうとする課題】
パテ研磨における車体やマネキンのＲ面を容易に作業が出来るように既製の研磨機に調整螺子を取り付けたアジャスタブルプレートを装着することにより仕上がりが綺麗で且つ作業効率を上昇させることが出来る
【０００５】
アジャスタブルプレートは小回りの作業に手作業用も心要となる
【０００６】
【課題を解決するための手段】
角度調整螺子を付けたアジャスタブルプレートは基板と曲がり板からなり両板の中央を螺子止めし基板の両端に長さ３０ｍｍの螺子を装着する、当該螺子を出し入れすることにより曲がり板に当たる角度を変えることが可能となり車体やサーフィンボードのＲ面の研磨作業が容易になる、当該品は既製の研磨機に取り付けたものと手作業用の二種類からなる
【０００７】
【考案の形態】
本考案について図を参照して説明する図１はアジャスタブルプレートの側面図で１は基板で材質はプラッテックまたはアクリル製で、長さ２４センチから３０センチ、幅７．５センチから１８センチの範囲とし、厚みは１０ミリとする２は曲がり板で材質、長さ、幅は１の基板と同様とし、厚みは５ミリとするこの曲がりの底部に３の両面テープを貼りそれに４のラバーを貼る、この厚さは１ミリから５ミリとする、５は糊付サウンドペーパーでこれで研磨するものである図２はアジャスタブルプレートの基板１の俯瞰図であり図１を補完するものである
【０００８】
図１、図２の６、６′、６″、６′′′は既製の研磨機に取り付ける螺子で４本からなり基板の底部から取り付けたものである、図１、図２の７、７′、７″、７′′′は曲がり板で基板と結合させる螺子で中央部４本からなっている
図１の８、８′は調整螺子で長さは３０ミリとする、被研磨のＲ面の具合を見て長さを出し入れする、図１、図２の９、９′は調整螺子のノブであり、図１の１１、１１′はワッシャーを噛ませたナットである
これにより振動しても調整螺子が緩むことがないようにしたものである
図３は既製の研磨機に取り付けた側面図である、１０は当該プレートを既製の研磨機に取り付けた状態である
【０００９】
図４は手作業用アジャスタブルプレートの側面図で１２は手作業用取手である、既製の研磨機より小回りの作業時に使用するもので、取手以外の仕様は図２同様である
【００１０】
【考案の効果】
車体、サーフィンボードなどパテを研磨するのに既存の研磨機類の研磨面が平面のみでＲ面の研磨は経験に依ることが多く、時間も掛かった、既存の研磨機に当該アジャスタブルプレートを取り付け調整螺子で角度を調整することにより、平面も、Ｒ面も研磨することが出来る、特にＲ面の研磨にすぐれ、パテ研磨の仕上がりが綺麗で、作業時間も短縮出来る
【００１１】
パテ研磨において既製の研磨機類は研磨面が平面であり、Ｒ面が多い車体やサーフィンボードなどの研磨は経験に依るところが多く時間も掛かった、既製の研磨機に当該アジャスタブルプレートを取り付けて調整螺子を出し入れすることにより平面だけでなくＲ面の研磨が可能となる、特にＲ面のパテ研磨の仕上がりが綺麗で時間も短縮出来る
【００１２】
研磨機に取り付けるだけでなくノブを付けるだけで手作業のアジャスタブルプレートとなり小回りの作業に最適である
【図面の簡単な説明】
【図１】アジャスタブルプレートの調整螺子を曲がり板に当て稼動状態にした図である
【図２】アジャスタブルプレートの俯瞰図である
【図３】既製の研磨機に取り付けたアジャスタブルプレートの側面図である
【図４】本考案手作業用アジャスタブルプレートの側面図である
【符号の説明】
Ａ、　　　　　　　　　　　　アジャスタブルプレート
１、　　　　　　　　　　　　基板
２、　　　　　　　　　　　　曲がり板
３、　　　　　　　　　　　　市販の両面テープ
４、　　　　　　　　　　　　クッションラバー
５、　　　　　　　　　　　　糊付サウンドペーパー
６、６′、６″、６′′′　　既製の研磨機に取り付け螺子
７、７′、７″、７′′′　　曲がり板から基板の結合螺子４本
８、８′、８″、８′′′　　調整螺子一式
９、　　　　　　　　　　　　調整ノブ
１０、　　　　　　　　　　　既製の研磨機
１１、　　　　　　　　　　　調整螺子
１２、　　　　　　　　　　　作業用取手
【図１】
0003096894.tif 000003
【図２】
0003096894.tif 000004
【図３】
0003096894.tif 000005
【図４】
0003096894.tif 000006
【手続補正書】
【提出日】平成15年5月12日(2003.5.12)
【手続補正１】
【補正対象書類名】明細書
【補正対象項目名】実用新案登録請求の範囲
【補正方法】変更
【補正の内容】
【実用新案登録請求の範囲】
【請求項１】
パテ研磨時、基板と曲がり板の両板の中央を螺子止めし、基板の両端に長さ３０ｍｍの調整螺子を装着したアジャスタブルプレートにより、当該調整螺子を出し入れすることにより曲がり板に当たる角度を変えることが可能となり、平面の研磨に加えＲ面の研磨を容易に出来るアジャスタブルプレートである。
【請求項２】
アジャスタブルプレートは既製の研磨機又は手作業用取手を取り付けたことを特徴とする請求項１記載のアジャスタブルプレートである。